(57)【要約】【課題】基体に接続される枠体を前記基体に連結することにより、前記枠体の中間部の膨らみを防止してその型崩れを抑制することを課題とする。【解決手段】シート状の基体２と、この基体の周辺に沿って配置される複数の枠体３と、これらの枠体と前記基体とを連結する連結片４を備え、  前記基体と前記枠体のいずれか一方もしくは両方の、前記枠体の長さ方向の内側の部位に、前記連結片が嵌挿固定されるスリットＡが形成されていることを特徴とし、基部上の連結片単独で枠体の端部のスリットと基部とを連接する新たな係合方法である。  更に前記連結片４を容易に解除する解除手段を備えることを特徴とする。【選択図】図２
2016154825.tif 000002
【特許請求の範囲】
【請求項１】
シート状の基体と、この基体の周辺に沿って配置される複数の枠体と、これらの枠体と前記基体とを留める手段を備え、
前記枠体の内側を前記基部の略周辺部に留める手段を備え、
前記枠体の外側を前記基部の縁部を包んだ後に前記基部に留める手段を備えている、ことを特徴とする額縁。
【請求項２】
前記枠体が、複数の折り線に沿って折り曲げられて中空状に形成されていることを特徴とする請求項１に記載の額縁。
【請求項３】
前記枠部を係止する連結片と枠部とを係合する手段を前記連結片または枠部に備え、且つ、前記係合する手段を解除する手段を備えた請求項１または請求項２のいずれか記載の額縁。
【発明の詳細な説明】
【技術分野】
【０００１】  本発明は、額縁に係わり、特に、紙等のシート状物を折り曲げて、周縁部に枠を形成した額縁に関するものである。
【背景技術】
【０００２】  従来、たとえば、特許文献１に示されるように、紙等のシート状物を折り曲げて、周縁部に枠を形成した額縁が提案されている。【０００３】  この額縁は、四角形状の基体と、この基体の各辺から外方へ延設された枠形成部とからなるシート状物を用い、前記枠形成部を、前記基体の各辺と並行して設けられた複数の折り線によって折り曲げることにより、中空状の枠体を形成し、これらの枠体同士を、その端部間において連結することにより、前記基体の周縁部に前記枠体を一体形成したものである。
複数の折り線によって折り曲げることにより、中空状の枠体を形成し、これらの枠体同士を、その端部間において連結することにより、前記基体の周縁部に前記枠体を一体形成したものである。
また、本発明者はシート状物を折り曲げて、周辺部に枠を形成する額縁に関する発明を出願している。（下記特許文献２、特願２０１４−２１７６１２参照）
【先行技術文献】
【特許文献】
【０００４】
【特許文献１】特開昭６０−２４８０８号公報
【特許文献２】特願２０１４−２１７６１２
【発明の概要】
【発明が解決しようとする課題】
【０００５】  ところで、前述した従来の額縁にあっては、前記枠体を、前述したようにシート状物を折り曲げて形成してあることから型崩れしやすい。
そして、前記枠体は、額縁の意匠の主要部を構成するものであることから、その型崩れを極力防止する必要がある。【０００６】  そこで、従来では、隣接する枠体同士が、その長さ方向において交差することから、前記枠体の各端部を連結することにより、一方の枠体の開き方向への動きを、他方の枠体の長さ方向において拘束するようにして、前記枠体の型崩れを防止するようにしているが、前記枠体の端部間に変形防止のための拘束手段がない。このために、前記枠体の中間部が膨れあがるように変形することが想定される。【０００７】本発明は、前述した従来において残されている問題点を解決せんとしてなされたもので、シート状物を折り曲げて枠体を形成した際に、この枠体の、長さ方向内側における変形を抑制して、枠体が型崩れし難い額縁を提供することを解決課題とする。
【課題を解決するための手段】
【０００８】  本発明の額縁は、シート状の基体と、この基体の周辺に沿って配置される複数の枠体と、これらの枠体の内側と前記基体とを連結する第１連結片を枠内側に備え、これに対応した第１スリットを基部に備え、
前記枠体の外側に、基部上に有る第２連結片が嵌挿固定される第２のスリットが形成されていることを特徴とする。第２スリットは組み上がったときは基部の裏側に位置する。スリットに対峙した前記第１連結片の根元左右には，切込み５ａｋがあり前記連結片を係止する。およびスリットに対峙した前記第２連結片の根元左右には，切込み４ｂｋがあり前記連結片を係止する。
前記枠体の内側を前記基体に係止する前記第１連結片は、組み上がったときに前記第２連結片の位置と重ならないように横にずらした位置に配置する。【０００９】  このような構成とすることにより、それぞれの前記連結片をそれぞれの前記スリットに嵌挿して固定することにより、前記基体に前記枠体が前記連結片を介して装着される。
ここで、前記スリットが、前記基体の各辺の長さ方向の内側の部位に形成されていることから、前記枠体が、その長さ方向の内側において前記基体に連結される。【００１０】    また、前記第１連結片の両脇に切り込みを入れ、前記第２連結片の向かい側に設けた切り込みに絡まして、組み立てたときに前記第１連結片の設置位置が、前記第２連結片の上になるように配置して、額縁を組み立てる。
このような構成とすることにより、前記枠体の長さ方向の内側の部位の変形が拘束されて、その型崩れが大幅に抑制される。【００１１】  更に、更に枠部の外側にあるスリットに係止した連結片の係合を解除する解除手段を備え、連結片に谷折り線、山折り線、切り抜きを施すことによって、潰れやすくし、親指と人差し指で摘んで潰すことで、前記スリットから前記連結片の係合を解除できる。前記連結片の根元に山折り線を設けることでより潰し易くなる。
より簡易的な解除手段として枠部の外側のスリットの外側に摘め安いように舌片を付ける。このような構成とすることで、いったん係合した額縁の係合の解除を容易にできる。
【発明の効果】
【００１２】  本発明の額縁によれば、基体に接続される枠体の、その長さ方向内側の部位において前記基体に連結することにより、前記枠体の中間部の膨らみを防止してその型崩れを抑制することができる。
本願において開示される発明では、前の出願とは異なる枠部の基部への留め方を提案している。
更に枠の外側にあるスリットを係止した連結片の係合の解除を容易にできる。
【図面の簡単な説明】
【００１３】
【図１】本発明の第１の実施形態にかかる額縁の斜視図である。
【図２】本発明の第１の実施形態にかかる額縁の背面図である。
【図３】本発明の第１の実施形態を示すもので、額縁の展開図である。
【図４】本発明の第１の実施形態を示すもので、組み立て後のＸ１−Ｘ１線断面図である。
【図５】本発明の第１の実施形態を示すもので、組み立て後のＸ２−Ｘ２線断面図である。
【図６】本発明の第１の実施形態を示すもので、スリットのバリエーションの正面図である。
【図７】本発明の第１の実施形態を示すもので、スリットのバリエーションの正面図である。
【図８】本発明の第１の実施形態を示すもので、スリットのバリエーションの正面図である。
【図９】本発明の第１の実施形態を示すもので、スリットのバリエーションの正面図である。
【図１０】本発明の第２実施形態を示すもので、額縁の展開図である。
【図１１】本発明の第２実施形態を示すもので、Ｘ３−Ｘ３線の断面図である。
【図１２】本発明の第２実施形態を示すもので、Ｘ４−Ｘ４線の断面図である。
【図１３】本発明の第１の実施形態で楕円１１３で指示される部分を示した組み立て後の背面図である。
【図１４】図１３の楕円１１３で指示される部分の拡大図である。
【図１５】本第３実施例の実施形態を示すもので、連結片の解除手段を示した楕円１１３で指示される部分の拡大図である。
【図１６】図１５の拡大図のＸ５−Ｘ５断面図である。
【図１７】本第４実施例で、別の解除手段を示した背面図である。
【図１８】本第５実施例で、解除手段を備えた額縁の展開図である。
【図１９】図１５に示した額縁のＸ６−Ｘ６展開図である。
【図２０】本発明の額縁による応用例の正面図である。
【発明を実施するための形態】
【００１４】＜第１の実施形態＞
以下、第１の実施形態例について、図１ないし図９で説明する。
なお、この額縁は提案済みの額縁とは異なる額縁である。
この額縁は、特に枠が深く作るのに適している。しかし通常の深さの額縁でも適用可能である。
図１において、符号１は、本実施形態に係わる額縁を示す。
この額縁１は、多角形シート状の基体２と、この基体２の各辺に沿って配置される複数の枠体３と、図２に示すように、これらの枠体３と前記基体２とを連結する第２連結片４を備え、前記枠体３の外側、組み上がったときに額の裏側に位置する、には前記第２連結片４が嵌挿固定される第２スリットＡが形成されている。
また、これらの枠体３を形成するパーツには、前記第２連結片４と重ならない位置に第１連結片５が有る。前記基体２には前記基体２の周辺寄りに、前記第１連結片５が嵌挿固定される第１スリットＤが形成されている。前記第１連結片５を第１スリットＤに嵌挿固定して、前記枠体３の内側付近を基部２に固定する。図２では前記第１連結片５と第１スリットＢが枠体に隠れるので、一部を切り抜いて表現している。
【００１５】  本実施形態における前記額縁１は、紙等のシート状物（以下、シートと略す）を折り曲げて組み上げられ、その展開図を図３に示す。
図３を説明する。破線が山折り線Ｙ、一点鎖線が谷折り線Ｔを示している。
前記枠体３は、前記基体２の短辺側に位置される第１枠体３ａと、長辺側に位置させる第２枠体３ｂとによって構成されている。
【００１６】  長方形状の基部Ｂには、基部内側が固定された片持ち梁状の前記第２連結片４と、各辺に対応した枠に具備する第１連結片５に対応したスリットＤ（Ｄａ，Ｄｂ）を備えている。
基部Ｂの各辺に対応した各枠体３には、内側に、前記基部Ｂに備えたスリットＤに対応した第１連結片５（５ａ，５ｂ）と、外側に、前記基部Ｂに備えた第２連結片４に対応した第２スリットＡ（Ａａ，Ａｂ）を備えている。
【００１７】  図３の展開図において、点線は山折り線Ｙ、一点鎖線が谷折り線Ｔを示している。  本明細書では、前記枠体３の前記第１の連結片５がある側を内側、前記第２スリットＡが有る側を外側と記載する。
【００１８】  また、前記第１枠部３ａには、前記基部Ｂの短辺と平行な３つの山折り線Ｙ１・Ｙ２・Ｙ３が設けられ、また、最外部に位置させられた山折り線Ｙ３よりも外側には、前記第２連結片４の延長線上に位置し、この第２連結片４の長さ方向と直交するように前記第２スリットＡが形成されている。
基部上の前記第２連結片４ａの根元には係止切り込み４ａｋがあり、額が組み立てられたとき係止切込み４ａｋと第２スリットＡとの両端とで噛合い係止する。
また、枠体３上には前記第１連結片５ａがあるが、これは基部上の第２連結片４ａとは重ならないように位置を横に移動して位置している。前記第１連結片５ａの根元には係止切り込み５ａｋがあり、額が組み立てられたとき係止切込み５ａと基部上の第１スリットＤとの両端とで噛合い係止する。
【００１９】  前記第２スリットＡおよび前記第１スリットＤは、直線状、湾曲状、もしくは、屈曲した形状に形成された長穴やスリット状の切り込みである。
図６から図９に示したように閉じていない切込みでもよい。対応する連結片と噛合い係合すればよい。
図６のスリットＥは閉じていて、閉鎖している。図７はスリットＥは閉じてなく、スリットＥの中間から直角方向に縁までの切込みＦを備えているので開いている。図８は切込みＦに幅を持たせたもので、開いている。図９は連結片側の切込み１１をスリットＥに内側から噛み合い係止する。これも開いている。スリットの形態はこれらでも良い。
【００２０】  さらに、前記第２枠部３ｂの両端部で、前記山折り線Ｙ６と前記山折り線Ｙ７との間に位置する部位には、前記第２枠部３ｂの幅方向に伸びる折り込み片６が連設され、この折り込み片６の先端横に、山折り線Ｙ８が設けられている。
また、前記第１枠部３ａの両端部で、前記山折り線Ｙ１と前記山折り線Ｙ２との間に位置する部位には、前記第２枠部３ｂの中空の枠が形成される部位の中に、谷折り線Ｔ１で谷折りにして差し込む差し込み片７がある。前記差込み片７の根元に山折りにする差込み片８がある。
【００２１】  前述したシートを用いて本実施形態に係わる額縁１を組み立てる手順について説明する。
図４、図５はそれぞれ、図３のＸ１−Ｘ１線およびＸ２−Ｘ２線での断面である。組み立て後の状態の断面図である。
前記枠体３の内側を前記第１連結片５と第１スリットＤとで係合し、前記枠体３の外側を基部の縁を包むようにして山折りし、前記第２連結片４と第２スリットＡで係合し枠部を形成する。
【００２２】  組み立てる手順は、はじめに枠体３ｂを裏返し、第１連結片５ｂを額縁１の外側に向くように枠体３ｂを基部２の上に配置する。次に、枠体３ｂ上の第１連結片５ｂを対応する基部２上の第１スリットＤｂに差し込む。基体２の上に枠体３ｂが裏返しで、前記第１連結片５ｂが基部２の縁を向いて、基部２上のスリットＤｂに差さった状態になる。
次に、山折り線Ｙ５を山折りし、山折り線Ｙ６を山折りし、山折り線Ｙ７を基部２の縁をまたいで包み込むように、基部２の裏側にまわす。基部２の裏側で枠体３ｂの端にある第２スリットＡｂに対応する基部上の第２連結片４ｂを差し込む。これで基部２の縁に枠の１つが立ち上がった。
同様な手順で、向かい側の枠も立ち上げる。
【００２３】  次に短辺の枠体３ａを裏返し、第１連結片５ａを額縁１の外側に向くように枠体３ａを配置し、前記第１連結片５ａを基部上の対応する第１スリットＤａに差し込む。枠体３ａ上の山折り線Ｙ１を山折りし、山折り線Ｙ２を山折りし、山折り線Ｙ３を基部２の縁をまたいで包み込むように、基部２の裏側にまわす。ここで枠体３ａの端にある第２スリットＡａに、対応する基部上の第２連結片４ａを差し込む。このとき、枠体３ａの端部にある差込片７を隣の枠体３ｂの中空部に差し込む。この時、差込片８は山折り線で山折りにしておく。
次に、隣の枠体３ｂの横端部に有る差込片６は、山折り線Ｙ８を山折して、隣の差込片８をまたいで、隣に立ち上がった枠体３ａの中空部の中に入れる。これで立ち上がった枠体３ａと枠体３ｂとが直角に交わる。
【００２４】  また、本実施例の額縁は折り畳むことが可能である。
額裏側の第２連結片４と第２スリットＡとの係合を外し、各枠を平坦になるように少しづつ潰す。このとき、枠の角部に差し込まれた差込み片６を少しづつ外に出す。前記差込み片６は枠を潰しても端部が隣の枠に入っていて、全部が飛び出さないようになっている。そうすることによって、だんだんと枠が潰れていき、最後は平坦状になる。折畳める額縁である。
これは前回と同じ手順で再び組み上げることができる。
【００２５】また、組み立てを簡便にするために、前記枠体の内側を前記基体に留める手段は、前記枠体の内側に第１連結片５を形成しないで、これに対応するスリット第１スリットＤも無くし、前記枠体３の内側と前記基部２の周辺部を糊などで接着しても良い。粘着テープ、ホチキス、紙のホチキスなどで留めても良い。
【００２６】  基体をくり貫いて窓や穴を設けることも可能である。
また、本額縁は実施例では断面が３角になっているが、４角でもよくＮ角形でも良い。ただしＮは０から無限大まで。額縁の形であるが、本実施例では４角形であるが８角形も可能で、３角形から無限大まであり、無限大は略円形である。
例えば、図３の第１枠部３ａの枠の基部Ｂ側の下部の左右それぞれに、基部Ｂ側から外側に間隔をあけて数個の切れ目Ｇを略左右対称入れる。これは山折り線Ｙ１と山折り線Ｙ２の間に位置する。
この切れ目Ｇは枠体３の内側より外側に向かって段々に枠の隅側に寄っている。
【００２７】  この間を、組み上げられたときの額の幅のそれぞれの切れ目Ｇ間より少し長めの帯状のシートを渡し、しかし平坦にしたとき外れない長さで、両端をこの切れ目Ｇに入れる。
この帯に、建物等の形状に切り抜いた図形を一体若しくは貼る。
この帯を前記切れ目Ｇにそれぞれ挿入すると、これらの帯に連設された建物状の図形はレイヤー状に重なる。
後ろのレイヤーの下部が前のレイヤーに陰重し、位置が上がっている。
本額縁を組み立てると額は立体になるが、それと同時に前記レイヤー状の建物付き帯は、奥行き方向に、組み立てる前より数倍の物理的な間隔を空けて位置し、切り抜いた建物の図形によって街並みが立体となったオブジェが形成される。
図２０に示したように第１レイヤー２１、第２レイヤー２２、第３レイヤー２３が手前から奥に並び、物理的奥行きが形成され、本額縁の組み立ておよび折畳みと連動できる。Ｇは前記レイヤー状の帯を入れるスリットである。手前から順番に奥に配置している。額の上、横に前記レイヤーおよびスリットＧを備えてもよい。
また、飛び出す絵本は本を開くと仕掛けが飛び出す装置であるが、本発明の額を立体的にするとき、枠部の移動と連動して若しくは独立して、仕掛け絵本にあるような仕掛けを飛び出させることができる。
【００２８】＜第２の実施形態＞
第２実施形態例を図１０から図１２で説明する。図１１、図１２は組み立て後の断面図である。
第２実施形態例と第１実施形態例との違いは、
第１実施形態では枠部上の基部上に、第１連結片５（５ａ，５ｂ）を差し込む第１スリットＤがあったが前記第１スリットＤは無くなり、その代りとして、第１連結片５（５ａ，５ｂ）を引っ掛ける切込みＥが第２連結片４（４ａ，４ｂ）の両側辺の対向する基部２に設ける。また、前記第１連結片５の基部２の縁と平行方向の位置は、第２連結片４と中心を同じ位置する。ただし、前記第１連結片５の方が第２連結片４より幅が広く短い、という構成になる。
【００２９】  なお、本第２実施形態例の説明は前記第１実施形態例と換わっている部分を中心に説明し、その他の構成は同じなので省略する。
組み立て方を説明する。実施例１と同じように、枠部３ｂを裏返しにし、第１連結片５が外側を向くように基部の上に乗せる。
前述したように、組み上がったときに前記第１連結片５は基部上の第２連結片の下に位置するために前記第２連結片の切った孔に上から押し込み、基部上の前記第２連結片の左右の向かい側に設けられた切れ目Ｅに、枠部にある第１連結片５の根元にある切れ目５ａｋ，５ｂｋを引っ掛け絡ます。このとき第１連結片の幅は基部上の第２連結片より広いので、第２連結片を切った線より、はみ出して第２連結片の上に位置する。
【００３０】  次に、前記枠部３ｂの外部を前記基部２を包むようにして山折り線Ｙ５，Ｙ６，Ｙ７を山折りし基部の下にする。ここで第２連結部４ｂを、先ほどの切れ込み４ｂｊに引っ掛けた後の前記第１連結片５ｂの下を潜らせて、第２スリットＡｂに嵌め込み係止する。
【００３１】    額縁の四隅の差込み辺６などは実施例１と同じなので説明省略する。
【００３２】＜第３の実施形態＞
第３実施形態例は額縁２を組み立て、全ての第２連結片４の根元の係止部４ｂｋを係止して額縁２が固まった後に、再び前記係止部４ｂｋを解除するときに、解除するのが煩わしいので係止解除手段を設ける。
図１３は実施例１の組み立て後の額縁の背面図である。部分拡大図の指示楕円１１３が描かれている。
図１４は図１３に指示された楕円１１３の部分拡大図である。
図１５は第３実施形態の第２の連結片４ｂを係止解除手段付き連結片４２ｂに替えた楕円１１３の部分拡大図である。ただし、枠部は省略して基部２のみを示している。また図１５は裏から見ているので、山折り線と谷折り線が反対になっているが、正面から見たときを基準にしている。
図１６は図１５で示した係止解除手段付き連結片４２ｂのＸ５−Ｘ５断面図である。
実施例１および実施例２の連結片４を、係止解除手段付き連結片４２ｂに変えたのが実施例３である。
【００３３】  第２連結片４２ｂの基部２の縁側の辺に、この辺と直角方向に山折り線Ｙ１０とＹ１１とを設ける。前記山折り線Ｙ１０およびＹ１１の間に他に折り線Ｔ１０を設置する。
その前に第２連結片４２ｂの根元側に、前記山折り線Ｙ１０とＹ１１との延長線と、その間を前記第２連結片４２ｂの略中間部と前記第２連結片４２ｂの根元とで囲まれた部分を切り線として孔を開ける。
前記第２連結片４２ｂの根元の両脇に係止切り込５ｂｋと突起１３を設ける。係止切り込み５ｂｋの前記第２連結片４２ｂの内側と前記孔との間に、山折り線Ｙ１２を設ける。前記山折り線Ｙ１２は、谷折り線Ｔ１０の延長線を対象線にして反対側にも設置する。
【００３４】  第２連結片４２ｂの基部の縁側の両側端ＭとＮで、右手の人差し指で側端Ｍを、親指で側端Ｎを摘んで、押し潰すと前記側端Ｍと前記側端Ｎの距離が縮まり、前記第２連結片４の根元にある山折り線Ｙ１２が山折り状態になり、係止切り込み５ｂｋが開くとともに第２連結片４２ｂがスリットＡから外れる。
【００３５】＜第４の実施形態＞
第３の実施形態の変形例である。より簡略にするために枠部側に設置した解除手段である。図１７参照。
枠部の外側に舌片１５を設ける。例えば、舌片１５を左手の親指と人差し指とでつまみ、右手の親指と人差し指とで第２連結片を摘む。力を入れて左右に引くと、前記スリットＡに絡んでいた前記第２連結片４の係止切り込み５ｂｋが、前記スリットＡから外れる。外すときに持ち易く、且つ、引っ張った力を前記係止切り込み５ｂｋの部分に伝達し易くした。
【００３６】＜第５の実施形態＞
なお、実施例３および実施例４に記載した前記第２連結片４の根元の係止切り込み１３と前記スリットＡの解除手段は、今まで述べた他の構成の額縁でも可能である。
例えば図１８に示した額縁である。この額縁は枠部３上の第１連結片５の幅が、基部２上の第２連結片４の幅と略同じで、前記第１連結片５の位置が前記第２連結片４の延長線上にあることが特徴である。
また、基部２の周りに描かれている枠部３上の第１連結片５と、基部２上の第２連結片４とが、連結していて、且つ連結している線を谷折り線にすると、全部がつながった一体型の額縁になる。この額縁に解除舌片を付けてもよい。
【００３７】  ここでは第２連結片４とスリットＡの係合を解除する手段として、舌片１５を設けた。第４実施形態と同じ原理である。
図１９は図１８のＸ６−Ｘ６線の断面図である。第１連結片５と第２連結片４とが重なって前記スリットＡに差し込まれている。このとき第２連結片４が下になる。
【００３８】  また、額縁は建築の窓などの建具などに使われている。これらも額縁と言われていて、本発明はこれらの建築用額縁も含む。特に窓のリフォーム、断熱対策としてガラスに貼れる態様にした額縁は本額縁の構成でできる。
また、素材として、紙、剛性樹脂のシート体があり、特殊紙としてシラスおよび繊維質材料を必須構成成分として内部に含むシラス含有紙でもよい。前記シラス含有紙は前記繊維質材料１００重量部に対して５から７０重量部含まれていることを特徴とする。また前記シラスの粒径が１から２００マイクロｍであることを特徴とする。
【符号の説明】
【００３９】１              額縁
２              基体
３              枠体
３ａ            第１枠体
３ｂ            第２枠体
４              第２の連結片
４ａ，４ｂ      第２の連結片
４ｂｋ          係止切込み
５              第１の連結片
５ａ，５ｂ      第１の連結片
５ａｋ          係止切り込み
６              折り込み片
７              差込み片
８              差込み片
１０            連結片
１１            切込み、
１３            突起
１５            舌片
２１〜２３      レイヤー状の帯状シート
４２ａ，４２ｂ  解除手段付き第２連結片
１１３          拡大部分を指示する楕円
Ａ              第２のスリット
Ｂ              基体
Ｄ              第１のスリット
Ｅ              スリット
Ｇ              切れ目
Ｍ              連結片の側面
Ｎ              連結片の他方の側面
Ｔ１、Ｔ１０    谷折り線
Ｙ１〜Ｙ８      山折り線
Ｙ１０〜Ｙ１２  山折り線
【図１】
2016154825.tif 000003
【図２】
2016154825.tif 000004
【図３】
2016154825.tif 000005
【図４】
2016154825.tif 000006
【図５】
2016154825.tif 000007
【図６】
2016154825.tif 000008
【図７】
2016154825.tif 000009
【図８】
2016154825.tif 000010
【図９】
2016154825.tif 000011
【図１０】
2016154825.tif 000012
【図１１】
2016154825.tif 000013
【図１２】
2016154825.tif 000014
【図１３】
2016154825.tif 000015
【図１４】
2016154825.tif 000016
【図１５】
2016154825.tif 000017
【図１６】
2016154825.tif 000018
【図１７】
2016154825.tif 000019
【図１８】
2016154825.tif 000020
【図１９】
2016154825.tif 000021
【図２０】
2016154825.tif 000022